(57)【要約】【課題】  プライバシーを確保しながら、将来の環境変化に応じて簡単かつ容易に増築が可能であって、しかもアウトドアリビングを提供できる三階建て住宅を提供する。【解決手段】  １階床面２、２階床面３および３階床面４を有する三階建て住宅１において、１階床２または２階床面３にリビング６を配置し、前記リビング６に接して、一部が外部に開口する開口面９ａを有するアウトドアリビング９を配置し、前記アウトドアリビング９の上方にある床面４に、当該アウトドアリビング９の平面形状と同一形状の空間部を形成して、上下階の間に吹く抜け部１０を形成するとともに、アウトドアリビング９の上方の相対する側壁Ｗ間に、上階の床面４と同一レベル高さで構造用梁１６を配設したものである。【選択図】      図２
2005207109.tif 000002
【特許請求の範囲】
【請求項１】
１階床、２階床および３階床を有する住宅構造において、
１階または２階の床面にリビングを配置し、
前記リビングに接して、一部が外部に開口する開口面を有するアウトドアリビングを配置し、
前記アウトドアリビングの上方にある床面に、当該アウトドアリビングと相対させてアウトドアリビングの平面形状と同一形状の切欠き部を形成して、上下階の間に吹く抜け部を形成するとともに、
前記アウトドアリビングの上方の相対する壁面間に、上階の床面と同一レベル高さで構造用梁を配設したこと
を特徴とする三階建て住宅。
【請求項２】
前記アウトドアリビングは、
１階床または２階床面の中央部に配置され、当該床面の間取りが平面視凹状であること
を特徴とする請求項１に記載の三階建て住宅。
【請求項３】
前記アウトドアリビングは、
１階床または２階床面のコーナーに配置され、当該床面の間取りが平面視Ｌ状であること
を特徴とする請求項１に記載の三階建て住宅。
【請求項４】
前記アウトドアリビングは、
外部に開口する開口部に、内部を外界から遮蔽するための側壁が形成されていること
を特徴とする請求項１〜３のいずれかに記載の三階建て住宅。
【請求項５】
前記アウトドアリビングは、
外部に開口する開口部に、内部を外界から遮蔽するための側壁が上階の床面と同レベルの高さまで形成されていること
を特徴とする請求項１〜３のいずれかに記載の三階建て住宅。
【請求項６】
前記側壁は、
通風または採光用の隙間が設けられていること
を特徴とする請求項４または５に記載の三階建て住宅。
【請求項７】
前記構造用梁は、
前記相対する壁面に、それぞれ基端部のみを突出させたものであること
を特徴とする請求項１に記載の三階建て住宅。
【請求項８】
前記構造用梁は、
前記相対する壁面間に張設させたものであること
を特徴とする請求項１に記載の三階建て住宅。
【発明の詳細な説明】
【技術分野】
【０００１】
この発明は、家族構成に変化などに応じて快適な生活が可能なように、間取り変更、特に増築、が可能な三階建住宅構造に関するものである。
【背景技術】
【０００２】
たとえば、同一敷地内に親子など二世帯が居住するために、あるいは敷地を最大限に利用するために、さらには収納スペースを十分に確保する目的などから、近時、三階建て住宅が多く建築され始めている。そして、特許文献１〜３などにおいては、二階建て住宅においては問題にならない上下階移動回数が、三階建て住宅においては大きな負担となることに着目し、建築完了後における住み心地を最良とすることを目的として、二階にリビングとダイニングとキッチンを具備したＬＤＫを配置するとともに、同じく二階に短時間行為ができるユースフルスペースを配置する三階建て住宅が提案されている。
【特許文献１】特開２０００−８０８０９号公報（特許請求の範囲）
【特許文献２】特開２０００−８０８１０号公報（特許請求の範囲）
【特許文献１】特開２０００−８０８１１号公報（特許請求の範囲）
【発明の開示】
【発明が解決しようとする課題】
【０００３】
前記各公報に記載された三階建て住宅は、生活行為を、短時間行為、中時間行為、長時間行為に分類し、同じく二階に短時間行為ができる空間であるユースフルスペースを配置することによって、階段を昇降する上下階移動回数を減少させるものであるが、将来的な環境の変化による増築を考慮した設計とはなっていない。
【０００４】
また、従来の三階建て住宅においては、建物の中心部に採光や通風のために吹き抜けスペースを有するライトコート（中庭の一種で、ライトコートに面する窓を設けることで、室内に光を取り入れる）付きも存在するが、一般に、増築を予定する場合には、改装しやすい自由性の高い躯体構造が当初から設計され、将来に備えて、ガスや給排水、電気のプレ配管を準備する必要があるのできわめてコストの高いものとなる。また、個室需要が生じたとき、増築するにはきわめて複雑な工程を要し、かつ躯体を損傷するなど多くの課題がある。
【０００５】
一方、先に述べたように、三階建て住宅は、基本的には、二世帯が居住するために、あるいは敷地を最大限に利用するために、さらには収納スペースを十分に確保する目的などから建築されるもので、家族構成などに変化が生じた場合、容易に増築できるスペースが確保されていることが望まれているが、前記ライトコートでは、容易に増築を行なうことはきわめて困難である。
【０００６】
この発明はかかる現状に鑑み、面積の少ない敷地などに構築される三階建て住宅において、プライバシーを確保しながら、将来の環境変化に応じて簡単かつ容易に増築が可能であって、しかもアウトドアリビングを提供できる三階建て住宅を提供することを目的としたものである。
【課題を解決するための手段】
【０００７】
前記の目的を達成するため、この発明の三階建て住宅は、
１階床、２階床および３階床を有する住宅構造において、
１階床または２階床面にリビングを配置し、
前記リビングに接して、一部が外部に開口する開口面を有するアウトドアリビングを配置し、
前記アウトドアリビングの上方にある床面に、当該アウトドアリビングと相対させてアウトドアリビングの平面形状と同一形状の切欠きを形成して、上下階の間に吹く抜け部を形成するとともに、
前記アウトドアリビングの上方の相対する壁面間に、上階の床面と同一レベル高さで構造用梁を配設したこと
を特徴とするものである。
【０００８】
また、請求項２に記載の発明は、
請求項１に記載の三階建て住宅において、
前記アウトドアリビングは、
１階床または２階床面の中央部に配置され、当該床面の間取りが平面視凹状であること
を特徴とするものである。
【０００９】
また、請求項３に記載の発明は、
請求項１に記載の三階建て住宅において、
前記アウトドアリビングは、
１階床または２階床面のコーナーに配置され、当該床面の間取りが平面視Ｌ状であること
を特徴とするものである。
【００１０】
また、請求項４に記載の発明は、
請求項１〜３のいずれかに記載の三階建て住宅において、
前記アウトドアリビングは、
外部に開口する開口部に、内部を外界から遮蔽するための側壁が形成されていること
を特徴とするものである。
【００１１】
また、請求項５に記載の発明は、
請求項１〜３のいずれかに記載の三階建て住宅において、
前記アウトドアリビングは、
外部に開口する開口部に、内部を外界から遮蔽するための側壁が上階の床面と同レベルの高さまで形成されていること
を特徴とするものである。
【００１２】
また、請求項６に記載の発明は、
請求項４または５に記載の三階建て住宅において、
前記側壁は、
通風または採光用の隙間が設けられていること
を特徴とするものである。
【００１３】
また、請求項７に記載の発明は、
請求項１に記載の三階建て住宅において、
前記構造用梁は、
前記相対する壁面に、それぞれ基端部のみを突出させたものであること
を特徴とするものである。
【００１４】
また、請求項８に記載の発明は、
請求項１に記載の三階建て住宅において、
前記構造用梁は、
前記相対する壁面間に張設させたものであること
を特徴とするものである。
【発明の効果】
【００１５】
この発明の三階建て住宅は、１階床、２階床および３階床を有する住宅構造において、
１階床または２階床面にリビングを配置し、このリビングに接して、一部が外部に開口する開口面を有するアウトドアリビングを配置するとともに、その上方にある床面に、当該アウトドアリビングの平面形状と相対する同一形状の切欠き部を設けて、上下階の間に吹く抜け部を形成し、前記アウトドアリビングの上方の相対する壁面間に、上階の床面と同一レベル高さで構造用梁を配設しているので、家族の増減などの環境変化に応じて、アウトドアリビングの上方の空間部を改装して部屋を増築することができるものである。
【００１６】
特に、この発明においては、１階床または２階床面にリビングを配置するとともに、このリビングに接して配置されるアウトドアリビングは、その一部が外界と接するように設けられるので、１階床の場合には、庭続きのアウトドアリビングにでき、２階床の場合には、通風および採光に十分配慮したアウトドアリビングとすることができる。
【００１７】
また、外界と接する開口部に、所要の高さ、たとえば腰高程度の側壁を形成すれば、隣接する住宅などからのプライバシーの侵害を最小限に抑えることができ、その側壁の高さを上階の床面程度としておけば、当該側壁を増築される部屋の壁の一部とすることができるので、大幅な改装をすることなく、増築工事を行なうことができる。
【００１８】
また、前記アウトドアリビングの上方の相対する壁面間に、上階の床面と同一レベル高さで構造用梁を張設している場合には、当該構造用梁を使用して床面を形成することができ、その基端部のみを配設している場合には、当該基端部に構造用梁部材を連結して架け渡し、その上面部に床面を形成することができるので、増築を容易に行なうことができる。
【発明を実施するための最良の形態】
【００１９】
以下、この発明にかかる実施形態を図面に基づいて具体的に説明するに、図１はこの発明にかかる三階建て住宅の概略説明図、図２はこの発明にかかる三階建て住宅における床面の模式図、図３はアウトドアリビングの概略図である。
【００２０】
この発明の三階建て住宅１は、在来軸組工法や２×４工法などの木質系、ラーメン構造などの鉄骨系、パネル工法などの鉄筋コンクリート系のいずれも工法で構築されたものであってもよいが、図２に示すように、各階の床面２，３，４は少なくとも上下方向において相対する部分を有するものである。
【００２１】
この実施例においては、１階の床面２には、図示しないが、玄関の他に、洗面室や浴室など配置した水廻り部屋５と居室６が、２階の床面３には、一方側にダイニングキッチン７を、他方側にリビング８を配置し、その間にアウトドアリビング９を配置し、３階の床面４は、前記アウトドアリビング９の上方に吹き抜け部１０を形成するとともに、この吹き抜け部１０を挟んで両側にそれぞれ居室１１，１２を配置したものである。
【００２２】
前記２階の床面３に配置されるアウトドアリビング９は、図２で明らかなように、その一部に外部に接する開口部９ａを有するもので、アウトドアリビング９の両側に位置するダイニングキッチン７とリビング８とを繋ぐ連絡通路１３（部屋であってもよい）を入れると２階の床面３は、平面視凹状をなしている。
【００２３】
また、この床面３の上方に位置する３階の床面４は、前記アウトドアリビング９と相対する部分が、アウトドアリビング９と同形状に切欠かれて吹き抜け部１０が形成されたもので、この吹き抜け部１０を挟む左右に、それぞれ連絡通路１４（部屋であってもよい）で繋がれる部屋１１，１２が配置されたものである。
【００２４】
前記アウトドアリビング９は、１階の床面２に形成する場合には、その開口部が庭続きとなるので、殊更庭との境界に柵などを設けなくともなんら危険性はないが、２階の床面３に設ける場合には、開口部９ａは直接外界に接しているので、転落のおそれがあるとともに、隣接する住宅などから直接見られる状況が発生するので、開口部９ａに沿って側壁１５を形成することが好ましい。
【００２５】
この側壁１５は、低いほど採光や通風性に優れるものの、前記の危険性やプライバシーを侵される可能性が高いので、一般的には腰高程度の高さが好ましいが、図１に示すように、その高さを３階の床面４下と同じレベルまでとし、その素材を外壁と同質の素材とすることによって、アウトドアリビング９を一つの部屋に改装することが容易となる。
【００２６】
その際、側壁１５には、図３に示すように、採光と通風のためスリットなどからなる隙間１５ａを形成することが好ましく、将来増築が確実な場合には、側壁１５の一部に窓を構成するためのサッシ部材を取付けてもよい。
【００２７】
また、この実施例においては、図１または図３で明らかなように、アウトドアリビング９の相対する壁面１５（一方は省略）間に、３階の床面４とほぼ同じ高さのレベルに、構造用梁１６，１６，１６を所定の間隔を存して配設したもので、この構造用梁１６は、図３に示すように、一方の部屋の壁面Ｗから他方の部屋の壁面（図示せず）間に跨って張設する場合と、図１に示すように、所要長さの構造用梁１６を、それぞれ前記壁面Ｗにあらかじめ突出形成しておく場合がある。
【００２８】
図３に示すように構造用梁１６を設けた場合には、日除け用シートを張設するためのパーゴラとして、あるいはハンモックなどの受け材としての使用が可能であるとともに、増設に際しては、その上面に床面を形成することによってアウトドアリビング９を独立した部屋にすることができる。
【００２９】
また、図１に示すように構造用梁１６を設けた場合には、増築に際し、壁面Ｗから突出する構造用梁１６間を構築材（図示せず）で連結して構造用梁とし、前記と同様に床面を形成することができる。
【００３０】
また、この実施例においては、３階の床面４を、階下のアウトドアリビング９の形状に合わせて切欠いて吹き抜け部１０を形成しているので、増築に際しては、アウトドアリビング９はそのままにして、前記吹き抜け部１０に床面を張設し、新しい部屋を設けることもできるが、その際は、アウトドアリビング９の開口部９ａに形成する側壁１５は腰高程度のものが好ましい。
【００３１】
また、この実施例においては、２階の床面３にアウトドアリビング９を形成したものであるが、先に述べたように、１階の床面２にアウトドアリビングを形成し、その上方の床面３，４にそれぞれ吹き抜け部とし、家庭環境の変化に応じて２階および／または３階の吹き抜け部に階下のアウトドアリビングと同形の床面を形成し、新しい部屋を増築することも可能であるが、２階の床面３のみを吹き抜け部とし、３階床面４には吹き抜け部を形成しなければ、３階床面４が２階に形成されるアウトドアリビング９の天井面を構成するものである。
【００３２】
さらに、この実施例では、アウトドアリビング９の形状を平面視凹状で説明したが、この形状に限定されるものではないこと当然で、アウトドアリビングを設ける階以外の階にもあらかじめ構造用梁を配設しておくことも可能である。
【図面の簡単な説明】
【００３３】
【図１】この発明にかかる三階建て住宅の概略説明図である。
【図２】この発明にかかる三階建て住宅における床面の模式図である。
【図３】アウトドアリビングの概略図である。
【符号の説明】
【００３４】
１          三階建て住宅
２，３，４  床面
５          水廻り部屋
６          居室
７          ダイニングキッチン
８          リビング
９          アウトドアリビング
１０          吹き抜け部
１１，１２    居室
１１，１２    部屋
１３，１４    連絡通路
１５          側壁
１６          構造用梁
【図１】
2005207109.tif 000003
【図２】
2005207109.tif 000004
【図３】
2005207109.tif 000005